(57)【要約】【課題】時間帯、気候、その他の外部要因に基づき、様々な状況に応じて、ユーザに配慮した停車位置に車両を誘導する誘導方法を提供する。【解決手段】ナビゲーション装置において、第１条件判定手段は、移動体に関する外部要因が第１条件を満たすか否かを判定する。第２条件判定手段は、移動体に関する外部要因が第１条件を満たす場合に、移動体の現在位置を示す位置情報に基づいて、当該移動体の位置が第２条件を満たすか否かを判定する。誘導手段は、移動体の位置が第２条件を満たさない場合に、当該移動体を、第２条件を満たす場所に誘導する。これによれば、第１条件として外部要因に関する条件を設定し、第２条件として移動体の位置に関する条件を設定することで、外部要因の条件によってユーザに不利益が生じる場合に、ナビゲーション装置は、移動体を不利益が生じない場所へ誘導することが可能となる。【選択図】図２
2009276121.tif 000002
【特許請求の範囲】
【請求項１】
移動体の現在位置を示す位置情報を取得する位置情報取得手段と、
前記移動体に関する外部要因が、第１条件を満たすか否かを判定する第１条件判定手段と、
前記第１条件判定手段が前記第１条件を満たすと判定した場合に、前記位置情報に基づいて、前記移動体の位置が第２条件を満たすか否かを判定する第２条件判定手段と、
前記第２条件判定手段が前記第２条件を満たさないと判定した場合に、前記移動体を、前記第２条件を満たす場所に誘導する誘導手段と、を備えることを特徴とするナビゲーション装置。
【請求項２】
前記第２条件判定手段が前記第２条件を満たさないと判定した場合に、前記位置情報に基づいて、前記移動体付近に前記第２条件を満たす場所が存在するか否かを判定する場所判定手段と、
前記場所判定手段が移動体付近に前記第２条件を満たす場所が存在しないと判定した場合に、注意を喚起する音声又は画像を出力する出力手段と、を備え、
前記誘導手段は、前記場所判定手段が移動体付近に前記第２条件を満たす場所が存在すると判定した場合に、前記移動体を当該場所へ誘導することを特徴とする請求項１に記載のナビゲーション装置。
【請求項３】
前記第１条件判定手段を実行するか否かを判定する実行判定手段をさらに備え、
前記実行判定手段は、前記移動体が予め設定された目的地に近づいたことを検出した場合に、前記第１条件判定手段を実行すると判定することを特徴とする請求項１又は２に記載のナビゲーション装置。
【請求項４】
前記移動体は車両であって、前記車両に関する車両情報を取得する車両情報取得手段をさらに備え、
前記実行判定手段は、前記目的地が設定されていない場合に、前記車両情報に基づいて、前記第１条件判定手段を実行するか否かを判定することを特徴とする請求項３に記載のナビゲーション装置。
【請求項５】
電子化された地図に関する地図情報を記憶する地図情報記憶手段と、
前記車両情報に基づいて、前記車両が停車しているか否かを判定する停車判定手段と、
前記停車判定手段により前記車両が停車していると判定された場合に、前記位置情報及び前記地図情報に基づいて当該車両が交差点以外で停車しているか否かを判定する停車位置判定手段と、を備え、
前記実行判定手段は、前記停車位置判定手段により前記車両が交差点以外で停車していると判定された場合に、前記第１条件判定手段を実行すると判定することを特徴とする請求項４に記載のナビゲーション装置。
【請求項６】
地図上のエリアが、安全なエリアであるか危険なエリアであるかを示す犯罪情報を取得する犯罪情報取得手段と、
前記犯罪情報及び前記位置情報に基づいて、前記移動体の位置が、前記安全なエリア内であるか否かを判定する安全エリア判定手段と、をさらに備え、
前記第１条件判定手段は、前記実行判定手段により前記第１条件判定手段を実行すると判定された時刻が夜遅い時間帯である場合に、前記第１条件を満たすと判定し、
前記第２条件判定手段は、前記第１判定手段により前記第１条件を満たすと判定された時点における前記移動体の位置が、前記安全エリア判定手段により、前記安全なエリア内であると判定された場合に、前記第２条件を満たすと判定することを特徴とする請求項１乃至５のいずれか一項に記載のナビゲーション装置。
【請求項７】
前記地図情報は、地図上における街灯の設置状況を示す街灯設置データを含んでおり、
前記街灯設置データ及び前記位置情報に基づいて、前記移動体の位置が、街灯が設置された場所であるか否かを判定する街灯判定手段を備え、
前記第１条件判定手段は、前記実行判定手段により前記第１条件判定手段を実行すると判定された時刻が夜遅い時間帯である場合に、前記第１条件を満たすと判定し、
前記第２条件判定手段は、前記第１判定手段により前記第１条件を満たすと判定された時点における前記移動体の位置が、前記街灯判定手段により、街灯が設置された場所であると判定された場合に、前記第２条件を満たすと判定することを特徴とする請求項５に記載のナビゲーション装置。
【請求項８】
前記車両情報に基づいて、前記車両が停車しているか否かを判定する停車判定手段と、
前記停車判定手段により前記車両が停車していると判定された場合に、前記車両情報に基づいて、前記車両のシートベルトが外されたか否かを判定するシートベルト判定手段と、を備え、
前記実行判定手段は、前記シートベルト判定手段により前記車両のシートベルトが外されたと判定された場合に、前記第１条件判定手段を実行すると判定することを特徴とする請求項４に記載のナビゲーション装置。
【請求項９】
前記地図情報は、地図上において雨に濡れない屋根付の場所を示す屋根付データを含んでおり、
前記車両情報に基づいて、前記車両のワイパーが動いているか否かを判定するワイパー判定手段と、
前記地図情報に含まれる屋根付データ及び前記位置情報に基づいて、前記移動体の位置が雨に濡れない屋根付の場所であるか否かを判定する屋根付判定手段と、を備え、
前記第１条件判定手段は、前記ワイパー判定手段により前記車両のワイパーが動いていると判定された場合に、前記第１条件を満たすと判定し、
前記第２条件判定手段は、前記第１判定手段により前記第１条件を満たすと判定された時点における前記移動体の位置が、前記屋根付判定手段により、雨に濡れない屋根付の場所であると判定された場合に、前記第２条件を満たすと判定することを特徴とする請求項４に記載のナビゲーション装置。
【請求項１０】
移動体の現在位置を示す位置情報を取得する位置情報取得工程と、
前記移動体に関する外部要因が、第１条件を満たすか否かを判定する第１条件判定工程と、
前記第１条件判定工程が前記第１条件を満たすと判定した場合に、前記位置情報に基づいて、前記移動体の位置が第２条件を満たすか否かを判定する第２条件判定工程と、
前記第２条件判定工程が前記第２条件を満たさないと判定した場合に、前記移動体を、前記第２条件を満たす場所に誘導する誘導工程と、を備えることを特徴とする誘導方法。
【請求項１１】
コンピュータ上で実行される誘導プログラムであって、
移動体の現在位置を示す位置情報を取得する位置情報取得手段、
前記移動体に関する外部要因が、第１条件を満たすか否かを判定する第１条件判定手段、
前記第１条件判定手段が前記第１条件を満たすと判定した場合に、前記位置情報に基づいて、前記移動体の位置が第２条件を満たすか否かを判定する第２条件判定手段、
前記第２条件判定手段が前記第２条件を満たさないと判定した場合に、前記移動体を、前記第２条件を満たす場所に誘導する誘導手段、として前記コンピュータを機能させることを特徴とする誘導プログラム。
【請求項１２】
請求項１１に記載の誘導プログラムを記録したことを特徴とする記録媒体。
【発明の詳細な説明】
【技術分野】
【０００１】
本発明は、ナビゲーション装置により、降車者に配慮した停車位置に誘導できる手法に関する。
【背景技術】
【０００２】
従来、カーナビゲーション装置は、現在位置から設定された目的地までの経路を案内するものである。現在では、カーナビゲーション装置において、ユーザが車両を停車させたい場所の周辺にある無料の停車場所を表示するサービスが知られている（例えば、特許文献１）。
【０００３】
【特許文献１】特開２００６−３８６２６号公報
【発明の開示】
【発明が解決しようとする課題】
【０００４】
しかし、特許文献１に記載されたカーナビゲーション装置は、予めデータベース内に保持している情報に基づいて無料の停車場所を表示するものであって、時間帯、気候、その他の外部要因を考慮した停車場所を表示することはない。
【０００５】
本発明が解決しようとする課題としては、上記のものが例として挙げられる。本発明は、時間帯、気候、その他の外部要因に基づき、様々な状況に応じて、ユーザに配慮した停車位置に車両を誘導することを目的とする。
【課題を解決するための手段】
【０００６】
請求項１に記載の発明は、ナビゲーション装置であって、移動体の現在位置を示す位置情報を取得する位置情報取得手段と、前記移動体に関する外部要因が、第１条件を満たすか否かを判定する第１条件判定手段と、前記第１条件判定手段が前記第１条件を満たすと判定した場合に、前記位置情報に基づいて、前記移動体の位置が第２条件を満たすか否かを判定する第２条件判定手段と、前記第２条件判定手段が前記第２条件を満たさないと判定した場合に、前記移動体を、前記第２条件を満たす場所に誘導する誘導手段と、を備えることを特徴とする。
【０００７】
請求項１０に記載の発明は、誘導方法であって、移動体の現在位置を示す位置情報を取得する位置情報取得工程と、前記移動体に関する外部要因が、第１条件を満たすか否かを判定する第１条件判定工程と、前記第１条件判定工程が前記第１条件を満たすと判定した場合に、前記位置情報に基づいて、前記移動体の位置が第２条件を満たすか否かを判定する第２条件判定工程と、前記第２条件判定工程が前記第２条件を満たさないと判定した場合に、前記移動体を、前記第２条件を満たす場所に誘導する誘導工程と、を備えることを特徴とする。
【０００８】
請求項１１に記載の発明は、コンピュータ上で実行される誘導プログラムであって、移動体の現在位置を示す位置情報を取得する位置情報取得手段、前記移動体に関する外部要因が、第１条件を満たすか否かを判定する第１条件判定手段、前記第１条件判定手段が前記第１条件を満たすと判定した場合に、前記位置情報に基づいて、前記移動体の位置が第２条件を満たすか否かを判定する第２条件判定手段、前記第２条件判定手段が前記第２条件を満たさないと判定した場合に、前記移動体を、前記第２条件を満たす場所に誘導する誘導手段、として前記コンピュータを機能させることを特徴とする。
【発明を実施するための最良の形態】
【０００９】
本発明の好適な実施形態では、移動体の現在位置を示す位置情報を取得する位置情報取得手段と、前記移動体に関する外部要因が、第１条件を満たすか否かを判定する第１条件判定手段と、前記第１条件判定手段が前記第１条件を満たすと判定した場合に、前記位置情報に基づいて、前記移動体の位置が第２条件を満たすか否かを判定する第２条件判定手段と、前記第２条件判定手段が前記第２条件を満たさないと判定した場合に、前記移動体を、前記第２条件を満たす場所に誘導する誘導手段と、を備えることを特徴とする。
【００１０】
上記のように構成されたナビゲーション装置において、第１条件判定手段は、移動体に関する外部要因が第１条件を満たすか否かを判定する。外部要因とは、例えば、時間帯や気候などの条件である。第２条件判定手段は、移動体に関する外部要因が第１条件を満たす場合に、移動体の現在位置を示す位置情報に基づいて、当該移動体の位置が第２条件を満たすか否かを判定する。誘導手段は、移動体の位置が第２条件を満たさない場合に、当該移動体を、第２条件を満たす場所に誘導する。これによれば、第１条件として外部要因に関する条件を設定し、第２条件として移動体の位置に関する条件を設定することで、外部要因の条件によってユーザに不利益が生じる場合に、ナビゲーション装置は、移動体を不利益が生じない場所へ誘導することが可能となる。
【００１１】
上記ナビゲーション装置の一態様では、前記第２条件判定手段が前記第２条件を満たさないと判定した場合に、前記位置情報に基づいて、前記移動体付近に前記第２条件を満たす場所が存在するか否かを判定する場所判定手段と、前記場所判定手段が移動体付近に前記第２条件を満たす場所が存在しないと判定した場合に、注意を喚起する音声又は画像を出力する出力手段と、を備え、前記誘導手段は、前記場所判定手段が移動体付近に前記第２条件を満たす場所が存在すると判定した場合に、前記移動体を当該場所へ誘導することを特徴とする。
【００１２】
上記のように構成されたナビゲーション装置において、場所判定手段は、移動体の位置が第２条件を満たさない場合に、位置情報に基づいて、移動体付近に第２条件を満たす場所が存在するか否かを判定する。移動体付近に第２条件を満たす場所が存在する場合、誘導手段は、その場所へ車両を誘導する。一方、移動体付近に第２条件を満たす場所が存在しない場合、音声出力手段は、注意を喚起する音声を出力する。これによれば、ナビゲーション装置は、移動体を不利益が生じない場所へ誘導することができなくても、音声出力により、不利益を生じる可能性がある旨の効果的な警告を行うことで、ユーザに移動体の移動を促すことができる。
【００１３】
上記ナビゲーション装置の他の一態様では、前記第１条件判定手段を実行するか否かを判定する実行判定手段をさらに備え、前記実行判定手段は、前記移動体が予め設定された目的地に近づいたことを検出した場合に、前記第１条件判定手段を実行すると判定する。これによれば、ナビゲーション装置は、移動体が目的地で到着する直前に、目的地がユーザにとって不利益が生じない場所であるか否かを判定し、警告や誘導を行うことができる。
【００１４】
上記ナビゲーション装置の他の一態様では、前記移動体は車両であって、前記車両に関する車両情報を取得する車両情報取得手段をさらに備え、前記実行判定手段は、前記目的地が設定されていない場合に、前記車両情報に基づいて、前記第１条件判定手段を実行するか否かを判定することを特徴とする。これによれば、ナビゲーション装置は、ユーザにより目的地が設定されていない場合であっても、車両情報に基づいて適切なタイミングで、車両の位置がユーザにとって不利益が生じない場所であるか否かを判定し、警告や誘導を行うことができる。
【００１５】
上記ナビゲーション装置の他の一態様では、電子化された地図に関する地図情報を記憶する地図情報記憶手段と、前記車両情報に基づいて、前記車両が停車しているか否かを判定する停車判定手段と、前記停車判定手段により前記車両が停車していると判定された場合に、前記位置情報及び前記地図情報に基づいて当該車両が交差点以外で停車しているか否かを判定する停車位置判定手段と、を備え、前記実行判定手段は、前記停車位置判定手段により前記車両が交差点以外で停車していると判定された場合に、前記第１条件判定手段を実行すると判定することを特徴とする。
【００１６】
上記のように構成されたナビゲーション装置において、地図情報記憶手段は、予め電子化された地図に関する地図情報を記憶している。また、停車判定手段は、車両情報取得手段により取得された車両情報に基づいて、車両が停車しているか否かを判定する。さらに、停車位置判定手段は、位置情報取得手段により取得された移動体の現在位置を示す位置情報に基づいて、地図情報を参照することにより、車両が交差点以外で停車しているか否かを判定する。そして、実行判定手段は、車両が交差点以外で停車している場合に、第１条件判定手段を実行する。つまり、ナビゲーション装置は、ユーザにより目的地が設定されていない場合、車両情報に基づいて、車両が交差点以外で停車している場合にユーザが降車するものと判断し、停車位置がユーザにとって不利益が生じない場所であるか否かを判定することで、警告や誘導を行う。よって、ユーザは、不利益が生じない場所で降車することができる。
【００１７】
上記ナビゲーション装置の他の一態様では、地図上のエリアが、安全なエリアであるか危険なエリアであるかを示す犯罪情報を取得する犯罪情報取得手段と、前記犯罪情報及び前記位置情報に基づいて、前記移動体の位置が、前記安全なエリア内であるか否かを判定する安全エリア判定手段と、をさらに備え、前記第１条件判定手段は、前記実行判定手段により前記第１条件判定手段を実行すると判定された時刻が夜遅い時間帯である場合に、前記第１条件を満たすと判定し、前記第２条件判定手段は、前記第１判定手段により前記第１条件を満たすと判定された時点における前記移動体の位置が、前記安全エリア判定手段により、前記安全なエリア内であると判定された場合に、前記第２条件を満たすと判定することを特徴とする。
【００１８】
上記のように構成されたナビゲーション装置において、犯罪情報取得手段は、地図上のエリアが、安全なエリアであるか危険なエリアであるかを示す犯罪情報を取得する。そして、ナビゲーション装置は、第１条件判定手段を実行する時刻が夜遅い時間帯、即ち暗い時間帯である場合に、犯罪情報に基づいて、移動体の位置が安全エリア内となるように誘導したり、「目的地はすぐですか？」といった注意を喚起する警告を行ったりする。これによれば、ユーザは、暗い時間帯であっても、治安面で安全なエリアで降車することが可能となる。
【００１９】
上記ナビゲーション装置の他の一態様では、前記地図情報は、地図上における街灯の設置状況を示す街灯設置データを含んでおり、前記街灯設置データ及び前記位置情報に基づいて、前記移動体の位置が、街灯が設置された場所であるか否かを判定する街灯判定手段を備え、前記第１条件判定手段は、前記実行判定手段により前記第１条件判定手段を実行すると判定された時刻が夜遅い時間帯である場合に、前記第１条件を満たすと判定し、前記第２条件判定手段は、前記第１判定手段により前記第１条件を満たすと判定された時点における前記移動体の位置が、前記街灯判定手段により、街灯が設置された場所であると判定された場合に、前記第２条件を満たすと判定することを特徴とする。
【００２０】
上記のように構成されたナビゲーション装置において、地図情報は、地図上における街灯の設置状況を示す街灯設置データを含むものとする。そして、ナビゲーション装置は、第１条件判定手段を実行する時刻が夜遅い時間帯、即ち暗い時間帯である場合に、街灯設定データに基づいて、移動体の位置が街灯の設置された場所となるように誘導したり、「街灯はありますか？」といった注意を喚起する警告を行ったりする。これによれば、ユーザは、暗い時間帯であっても、街灯の設置された場所で降車することが可能となる。
【００２１】
上記ナビゲーション装置の他の一態様では、前記車両情報に基づいて、前記車両が停車しているか否かを判定する停車判定手段と、前記停車判定手段により前記車両が停車していると判定された場合に、前記車両情報に基づいて、前記車両のシートベルトが外されたか否かを判定するシートベルト判定手段と、を備え、前記実行判定手段は、前記シートベルト判定手段により前記車両のシートベルトが外されたと判定された場合に、前記第１条件判定手段を実行すると判定することを特徴とする。これによれば、車両が停車した場合に、ユーザが降車したか否かを判定する判断条件として、シートベルトが外されたことを採用している。よって、ナビゲーション装置は、シートベルトが外されたタイミング、即ちユーザが実際に降車する直前に、停車位置がユーザにとって不利益が生じない場所であるか否かを判定することが可能となる。
【００２２】
上記ナビゲーション装置のさらに他の一態様では、前記地図情報は、地図上において雨に濡れない屋根付の場所を示す屋根付データを含んでおり、前記車両情報に基づいて、前記車両のワイパーが動いているか否かを判定するワイパー判定手段と、前記地図情報に含まれる屋根付データ及び前記位置情報に基づいて、前記移動体の位置が雨に濡れない屋根付の場所であるか否かを判定する屋根付判定手段と、を備え、前記第１条件判定手段は、前記ワイパー判定手段により前記車両のワイパーが動いていると判定された場合に、前記第１条件を満たすと判定し、前記第２条件判定手段は、前記第１判定手段により前記第１条件を満たすと判定された時点における前記移動体の位置が、前記屋根付判定手段により、雨に濡れない屋根付の場所であると判定された場合に、前記第２条件を満たすと判定することを特徴とする。
【００２３】
上記のように構成されたナビゲーション装置において、地図情報は、地図上において雨に濡れない屋根付の場所を示す屋根付データを含むものとする。また、ワイパー判定手段は、車両情報に基づいて、車両のワイパーが動いているか否かを判定する。ナビゲーション装置は、ワイパーが動いていることで、雨が降っていると判断する。そして、ナビゲーション装置は、ワイパーが動いている、即ち雨が降っている場合に、屋根付データに基づいて、移動体の位置が雨に濡れない屋根付の場所となるように誘導したり、「足元に気をつけましょう」といった注意を喚起する警告を行ったりする。これによれば、ユーザは、雨が降っていても、雨に濡れない屋根付きの場所で降車することが可能となる。
【００２４】
本発明の別の観点では、誘導方法であって、移動体の現在位置を示す位置情報を取得する位置情報取得工程と、前記移動体に関する外部要因が、第１条件を満たすか否かを判定する第１条件判定工程と、前記第１条件判定工程が前記第１条件を満たすと判定した場合に、前記位置情報に基づいて、前記移動体の位置が第２条件を満たすか否かを判定する第２条件判定工程と、前記第２条件判定工程が前記第２条件を満たさないと判定した場合に、前記移動体を、前記第２条件を満たす場所に誘導する誘導工程と、を備えることを特徴とする。このような誘導方法によっても、外部要因の条件によってユーザに不利益が生じる場合に、移動体を不利益が生じない場所へ誘導することが可能となる。
【００２５】
本発明のさらに別の観点では、コンピュータ上で実行される誘導プログラムであって、移動体の現在位置を示す位置情報を取得する位置情報取得手段、前記移動体に関する外部要因が、第１条件を満たすか否かを判定する第１条件判定手段、前記第１条件判定手段が前記第１条件を満たすと判定した場合に、前記位置情報に基づいて、前記移動体の位置が第２条件を満たすか否かを判定する第２条件判定手段、前記第２条件判定手段が前記第２条件を満たさないと判定した場合に、前記移動体を、前記第２条件を満たす場所に誘導する誘導手段、として前記コンピュータを機能させることを特徴とする。このような誘導プログラムをコンピュータ上で実行することによっても、外部要因の条件によってユーザに不利益が生じる場合に、移動体を不利益が生じない場所へ誘導することが可能となる。なお、この誘導プログラムは、記録媒体に記録した状態で好適に取り扱うことができる。
【実施例】
【００２６】
以下、図面を参照して本発明の好適な実施例について説明する。
【００２７】
[ナビゲーション装置]
本実施例において、ナビゲーション装置は、時間帯、気候、その他の外部要因に基づき、様々な状況に応じて、ユーザに配慮した停車位置に車両を誘導する。
【００２８】
図１に、本発明の実施例に係るナビゲーション装置１００の構成を示す。図１に示すように、ナビゲーション装置１００は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０、入力装置６０、ＴＶチューナー７０及び車両情報受信装置７２を備える。
【００２９】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００３０】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００３１】
システムコントローラ２０は、インタフェース２１、ＣＰＵ２２、ＲＯＭ２３及びＲＡＭ２４を含んでおり、ナビゲーション装置１００全体の制御を行う。
【００３２】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００３３】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００３４】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。
【００３５】
データ記憶ユニット３６は、例えば、ＨＤＤなどにより構成され、地図情報などのナビゲーション処理に用いられる各種データを記憶する。
【００３６】
通信装置３８は、例えば、ＦＭチューナーやビーコンレシーバ、携帯電話や専用の通信カードなどにより構成され、通信用インタフェース３７を介して、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ）センター（登録商標）や携帯電話基地局から配信される渋滞や交通情報などの道路交通情報、犯罪危険レベルを示す犯罪情報、その他の情報を受信する。
【００３７】
表示ユニット４０は、システムコントローラ２０の制御の下、各種表示データをディスプレイなどの表示装置に表示する。具体的には、システムコントローラ２０は、データ記憶ユニット３６から地図情報を読み出す。表示ユニット４０は、システムコントローラ２０によってデータ記憶ユニット３６から読み出された地図情報を、ディスプレイなどの表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、例えば対角５〜１０インチ程度の液晶表示装置等からなり、車内のフロントパネル付近に装着される。
【００３８】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声デジタルデータのＤ／Ａ変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００３９】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。
【００４０】
ＴＶチューナー７０は、アンテナにより、デジタル変調とデジタル圧縮を使用したテレビ放送７１（例えば、日本における地上デジタル放送など）を受信する装置である。
【００４１】
車両情報受信装置７２は、車両の速度、サイドブレーキのＯＮ／ＯＦＦ、シートベルトの着脱、ワイパーのＯＮ／ＯＦＦといった車両に関する情報（以下、「車両情報」と呼ぶ。）を受信する入力インタフェースである。
【００４２】
[誘導ユニット]
図２は、時間帯、気候、その他の外部要因に基づき、様々な状況に応じて、ユーザに配慮した停車位置に車両を誘導する誘導ユニット２００の機能ブロック図である。誘導ユニット２００は、実態的には、ナビゲーション装置１００の構成要素により構成される。図２に示すように、誘導ユニット２００は、地図情報記憶部２０１、自車位置検出部２０２、車両情報取得部２０３、実行判定部２０４、第１条件判定部２０５、犯罪情報取得部２０６、第２条件判定部２０７、場所判定部２０８、誘導部２０９及び音声出力部２１０を備える。
【００４３】
地図情報記憶部２０１は、データ記憶ユニット３６などにより構成され、目的地までの経路探索などに必要な電子化された地図に関する情報である。具体的に、地図情報は、地図表示用データ、道路ネットワークデータ、街灯設置データ、屋根付データなどを有する。地図情報記憶部２０１は、本発明における地図情報記憶手段として機能する。
【００４４】
地図表示用データは、ユーザに対して地図画像を表示するために使用されるデータであり、主として地図に対応する画像データを含む。
【００４５】
道路ネットワークデータは、地図を構成する道路のネットワークを示すデータであり、ノードデータ及びリンクデータを含む。ノードは道路上の交差点などの所定の地点に対応し、ノードデータはノードを示すデータである。ノードを示すデータとは、例えば、各ノードを識別するノードＩＤ（Ｎ０１など）や各ノードの地理的な位置座標（緯度及び経度）などである。一方、リンクは交差点などにより区切られた道路の１区画に対応し、リンクデータはリンクを示すデータである。リンクを示すデータとは、例えば、各リンクを識別するリンクＩＤ（Ｌ０１など）や各リンクの地理的な位置座標などである。なお、道路ネットワークに含まれるノードデータ及びリンクデータについては、周知の技術であるため、便宜上詳細な説明は省略する。
【００４６】
街灯設置データは、地図上における街灯の設置状況を示すデータである。街灯設置データを参照することで、誘導ユニット２００は、所定の位置における街灯の有無を認識することができる。なお、本実施例では、地図情報が街灯設置データを有することとしているが、本発明はこれに限定されるものではなく、繁華街、住宅街を示すデータなど、地図上における所定の位置の明るさを示すデータであれば、地図情報が有するデータは任意とすることができる。
【００４７】
屋根付データは、地図上において屋根付の場所を示すデータである。屋根付の場所は、雨に濡れない場所であって、地下道なども含むものとする。
【００４８】
自車位置検出部２０２は、車両の現在位置を示す位置座標（緯度及び経度）を位置情報として取得する。位置情報の取得方法は、ＧＰＳ航法、ハイブリッド航法等任意の航法を適用することとしてよい。なお、各航法による車両の現在位置の測定方法は周知の技術であるため、便宜上説明は省略する。自車位置検出部２０２は、本発明における位置情報取得手段として機能する。
【００４９】
車両情報取得部２０３は、車両情報受信装置７２により構成され、車内ＬＡＮを用いて各伝送機器の状態を確認することにより、車両情報を取得する。具体的に、本実施例において車両情報取得部２０３は、車両の速度、サイドブレーキのＯＮ／ＯＦＦ、シートベルトの着脱、ワイパーのＯＮ／ＯＦＦに関する情報を車両情報として取得する。車両情報取得部２０３は、本発明における車両情報取得手段として機能する。
【００５０】
実行判定部２０４は、後述する第１条件判定部２０５による、時間帯や気候といった外部要因が第１条件を満たすか否かの判定処理を、実行するか否かを判定する。実行判定部２０４は、本発明における実行判定手段として機能し、目的地検出部、停車判定部、停車位置判定部及びシートベルト判定部を備える。
【００５１】
目的地検出部は、予めユーザにより目的地が設定されている場合に、自車位置検出部２０２が取得した位置情報に基づいて、車両が目的地に十分近づいたことを検出する。
【００５２】
停車判定部は、車両情報取得部２０３が取得した車両情報に基づいて、車両が停止したか否かを判定する。第１の方法として、停車判定部は、車両情報に含まれる車両の速度が０ｋｍの状態が一定時間（例えば、数秒）続いた場合に、車両が停止したと判定する。第２の方法として、停車判定部は、車両情報に基づいて、サイドブレーキがＯＮとなった場合に、車両が停止したと判定する。このように、停車判定部は、ユーザが降車することが予測される条件が揃った場合に、車両が停止したと判定する。停車判定部は、本発明における停車判定手段として機能する。
【００５３】
停車位置判定部は、自車位置検出部２０２が取得した位置情報に基づいて、地図情報記憶部２０１が記憶している地図情報を参照することで、車両が交差点以外で停車しているか否かを判定する。停車位置判定部は、本発明における停車位置判定手段として機能する。
【００５４】
シートベルト判定部は、車両情報取得部２０３が取得した車両情報に基づいて、シートベルトが外されたか否かを判定する。シートベルト判定部は、本発明におけるシートベルト判定手段として機能する。
【００５５】
第１条件判定部２０５は、時間帯や気候といった外部要因が第１条件を満たすか否かを判定する。第１条件判定部２０５は、本発明における第１条件判定手段として機能し、時間帯判定部及びワイパー判定部を備える。
【００５６】
時間帯判定部は、ナビゲーション装置１００が通常有する時計機能に基づいて、実行判定部２０４により第１条件を満たすか否かの判定処理を実行すると判定された時刻が、夜遅い時間帯であるか否かを判定する。夜遅い時間帯とは、例えば午後６時から午前５時の間などであって、任意に設定することができる。なお、この場合の第１条件は、実行判定部２０４により第１条件を満たすか否かの判定処理を実行すると判定された時刻が、夜遅い時間帯であること、即ち暗い時間帯であることである。
【００５７】
ワイパー判定部は、車両情報取得部２０３が取得した車両情報に基づいて、ワイパーが動いているか否かを判定する。なお、この場合の第１条件は、ワイパーが動いていること、即ち天候が雨であることである。ワイパー判定部は、本発明におけるワイパー判定手段として機能する。
【００５８】
犯罪情報取得部２０６は、地図上における犯罪危険レベルを示す犯罪情報を取得する。例えば、犯罪情報は、地図上の所定のエリアが、治安上、安全なエリアであるか危険なエリアであるかを示す情報などであり、任意に設定することができる。犯罪情報取得部２０６は、本発明における犯罪情報取得手段として機能し、ＢＴ（Bluetooth；登録商標）受信部及び地上デジタル放送受信部を備える。
【００５９】
ＢＴ受信部は、図３（ａ）に示すように、通信装置３８により、携帯電話８０から犯罪情報を受信する。携帯電話８０は常に最寄りの基地局Ａと通信しているので、各基地局が周辺地域の犯罪情報を供給可能であれば、ナビゲーション装置１００は、ＢＴ機能を通して犯罪情報を取得することができる。この場合、犯罪情報には、各基地局の周辺地域を示す位置情報が付加されている。
【００６０】
地上デジタル放送受信部は、図３（ｂ）に示すように、ＴＶチューナー７０により、地上デジタル放送として犯罪情報を受信する。地上デジタル放送は、ローカル情報を付帯することが可能であるので、位置情報付の犯罪情報を時間毎に変化させて送れば、ナビゲーション装置１００は、自身の保有する位置情報と一致する犯罪情報を取得することができる。このように、地上デジタル放送の情報伝達部分に位置情報付の犯罪情報を載せて配信する他、ＴＶ番組中の犯罪に関するニュースの際、その犯罪が発生した地域の位置情報を犯罪情報として配信することとしてもよい。
【００６１】
第２条件判定部２０７は、第１条件判定部２０５により第１条件を満たすと判定された場合に、自車位置検出部２０２が取得した位置情報に基づいて、車両の位置が第２条件を満たすか否かを判定する。第２条件判定部２０７は、本発明における第２条件判定手段として機能し、安全エリア判定部、街灯判定部及び屋根付判定部を備える。
【００６２】
安全エリア判定部は、自車位置検出部２０２が取得した位置情報に基づいて、犯罪情報取得部２０６が取得した犯罪情報を参照することにより、車両の位置が安全なエリア内であるか否かを判定する。なお、この場合の第２条件は、第１判定部２０５により第１条件を満たすと判定された時点における車両の位置が、安全なエリア内であることである。本実施例では、犯罪情報が、地図上の所定のエリアが安全なエリアであるか危険なエリアであるかを示す情報であるため、安全エリア判定部により車両の位置が安全なエリア内であるか否かを判定しているが、本発明はこれに限定されるものではなく、犯罪情報に基づいて車両の位置が安全であるか否かを判定できればよい。安全エリア判定部は、本発明における安全エリア判定手段として機能する。
【００６３】
街灯判定部は、自車位置検出部２０２が取得した位置情報に基づいて、地図情報記憶部２０１に記憶された地図情報が有する街灯設置データを参照することにより、車両の位置が街灯の設置された場所であるか否かを判定する。なお、この場合の第２条件は、第１判定部２０５により第１条件を満たすと判定された時点における車両の位置が、街灯の設置された場所であることである。本実施例では、地図情報が街灯設置データを有するため、街灯判定部により車両の位置が街灯の設置された場所であるか否かを判定しているが、本発明はこれに限定されるものではなく、地図情報に含まれる所定の位置の明るさを示すデータに基づいて車両の位置が明るいか否かを判定できればよい。街灯判定部は、本発明における街灯判定手段として機能する。
【００６４】
屋根付判定部は、自車位置検出部２０２が取得した位置情報に基づいて、地図情報記憶部２０１が記憶している地図情報の屋根付データを参照することにより、車両の位置が雨に濡れない屋根付の場所であるか否かを判定する。なお、この場合の第２条件は、第１判定部２０５により第１条件を満たすと判定された時点における車両の位置が、雨に濡れない屋根付の場所であることである。屋根付判定部は、本発明における屋根付判定手段として機能する。
【００６５】
場所判定部２０８は、第２条件判定手段が第２条件を満たさないと判定した場合に、位置情報に基づいて、車両の近くに第２条件を満たす場所が存在するか否かを判定する。「車両の近く」は、例えば、車両を中心とした半径５００ｍ以内など任意に設定することができる。場所判定部２０８は、本発明における場所判定手段として機能する。
【００６６】
誘導部２０９は、表示ユニット４０及び音声出力ユニット５０により構成され、警告を出した上で、第２条件を満たす場所に車両を誘導する。誘導部２０９は、本発明における誘導手段として機能する。
【００６７】
音声出力部２１０は、音声出力ユニット５０により構成され、第２条件を満たす場所へ車両を誘導できない場合に、注意喚起するアナウンスを出力する。音声出力部２１０は、本発明における音声出力手段として機能する。
【００６８】
なお、誘導ユニット２００の各部は、図１に示すシステムコントローラ２０により構成される。即ち、システムコントローラ２０が所定のプログラムを実行することにより、上記各部を実現する。
【００６９】
[第１誘導処理]
次に、本実施例による第１誘導処理について、図４を参照して説明する。図４は、夜遅い時間帯に停車位置として車両を安全な場所へ誘導する第１誘導処理のフローチャートである。誘導ユニット２００は、ナビゲーション装置１００の構成要素により構成されるものであって、第１誘導処理は、図１に示すシステムコントローラ２０が、予め用意されたプログラムを実行することにより実現される。
【００７０】
誘導ユニット２００の目的地検出部は、まず、ユーザにより目的地が設定されているか否かを判定する（ステップＳ１）。目的地が設定されている場合（ステップＳ１；Ｙｅｓ）、目的地検出部は、自車位置検出部２０２により取得された車両の現在位置を示す位置情報に基づいて、目的地に十分近付いたことを検出したか否かを判定する（ステップＳ２）。自車位置検出部２０２により、目的地に十分近付いたことが検出された場合（ステップＳ２；Ｙｅｓ）、ステップＳ４の処理に進む。
【００７１】
ユーザにより目的地が設定されていない場合（ステップＳ１；Ｎｏ）、停車判定部は、車両情報取得部２０３が取得した車両情報に基づいて、車両が停車したか否かを判定する。停車判定部により車両が停車していると判定された場合、停車位置判定部は、自車位置検出部２０２により取得された位置情報に基づいて、地図情報記憶部２０１に記憶されている地図情報を参照することで、車両が交差点以外で停車しているか否かを判定する（ステップＳ３）。交差点は、信号や停止標識による停車の可能性が高いため、本実施例では、交差点以外で停車している場合に、第１誘導処理を進行するものとする。停車位置判定部により、車両が交差点以外で停車していると判定された場合（ステップＳ３；Ｙｅｓ）、ステップＳ４の処理に進む。
【００７２】
時間帯判定部は、ナビゲーション装置１００が通常有する時計機能に基づいて、現在時刻が夜遅い時間帯であるか否かを判定する（ステップＳ４）。夜遅い時間帯ではないと判定された場合（ステップＳ４；Ｎｏ）、まだ明るい時間帯であるため、そこまで治安面での安全性を考慮する必要はないと判断し、誘導ユニット２００は、第１誘導処理を終了する。一方、夜遅い時間帯であると判定された場合（ステップＳ４；Ｙｅｓ）、犯罪情報取得部２０６により犯罪情報を取得したか否かを判定する（ステップＳ５）。犯罪情報を取得したと判定された場合（ステップＳ５；Ｙｅｓ）、誘導部２０９は、犯罪情報に基づき、車両の停車位置として安全なエリアへ車両を誘導する（ステップＳ６）。これにより、第１誘導処理は完了する。
【００７３】
具体的に、犯罪情報を取得したと判定された場合（ステップＳ５；Ｙｅｓ）、安全エリア判定部は、自車位置検出部２０２により取得された位置情報及び犯罪情報に基づいて、車両の現在位置、即ち目的地又は停車位置が、安全エリア内であるか否かを判定する。安全エリア内であると判定された場合、誘導部２０９は、新たな場所への誘導は行わず、その場所での降車を誘導する。新たな場所へ誘導しなくても、ユーザの降車場所が安全だからである。一方、安全エリア内ではないと判定された場合、場所判定部２０８は、位置情報及び犯罪情報に基づいて、車両の現在位置付近に安全エリア内の場所が存在するか否かを判定する。車両の現在位置付近に安全エリア内の場所が存在すると判定された場合、誘導部２０９は、例えば、安全な場所へ誘導する旨の警告を出した上で、停車位置として当該場所へ車両を誘導する。一方、車両の現在位置付近に安全エリア内の場所が存在しないと判定された場合、範囲を拡大して安全エリア内の場所を探索し、車両を誘導することとしてもよいし、ステップＳ７へ進むこととしてもよい。
【００７４】
犯罪情報を取得していないと判定された場合（ステップＳ５；Ｎｏ）、街灯判定部は、地図情報記憶部２０１が記憶している地図情報が街灯設置データを有するか否かを判定する（ステップＳ７）。街灯設置データを有すると判定された場合（ステップＳ７；Ｙｅｓ）、誘導部２０９は、街灯設置データに基づき、車両の停車位置として街灯の設置された場所へ車両を誘導する（ステップＳ８）。これにより、第１誘導処理は完了する。
【００７５】
具体的に、地図情報が街灯設置データを有すると判定された場合（ステップＳ７；Ｙｅｓ）、街灯判定部は、自車位置検出部２０２により取得された位置情報及び街灯設置データに基づいて、車両の現在位置、即ち目的地又は停車位置に、街灯が設置されているか否かを判定する。街灯が設置されていると判定された場合、誘導部２０９は、新たな場所への誘導は行わず、その場所での降車を誘導する。新たな場所へ誘導しなくても、ユーザの降車場所が明るく安全だからである。一方、街灯が設置されていないと判定された場合、場所判定部２０８は、位置情報及び街灯設置データに基づいて、車両の現在位置付近に街灯が設置された場所が存在するか否かを判定する。車両の現在位置付近に街灯が設置された場所が存在すると判定された場合、誘導部２０９は、例えば、安全のため明るい場所へ誘導する旨の警告を出した上で、停車位置として当該場所へ車両を誘導する。一方、車両の現在位置付近に街灯が設置された場所が存在しないと判定された場合、範囲を拡大して街灯が設置された場所を探索し、車両を誘導することとしてもよいし、ステップＳ９へ進むこととしてもよい。
【００７６】
街頭設置データを有しないと判定された場合（ステップＳ７；Ｎｏ）、音声出力部２１０は、「街灯はありますか？」や「目的地はすぐですか？」といった注意喚起を行うアナウンス（音声）を出力する（ステップＳ９）。これにより、第１誘導処理は完了する。
【００７７】
誘導ユニット２００によれば、ＢＴ信号又は地上デジタル放送により犯罪情報取得部２０６が取得する犯罪情報と、車両情報取得部２０３が取得する車両情報と、自車位置検出部２０２により検出する車両の現在位置を示す位置情報と、に基づいて、車両の停車位置を計算し、ディスプレイ４４にその位置を表示する。そして、誘導ユニット２００は、ユーザが降車する際、危険であったり、不便であったりすることが予測できる場合は、停車位置をずらすように誘導するか、少なくとも注意喚起の警告を出すこととしている。上述のように、誘導ユニット２００は、ユーザにより目的地が設定されている場合、停車位置が予め分かっているので、停車する直前に、警告を出した上で可能であれば停車位置として安全な場所への誘導を行う。また、誘導ユニット２００は、ユーザにより目的地が設定されていない場合、車両情報に基づく速度検知などによって停車後に、警告を出した上で可能であれば停車位置として安全な場所への誘導を行う。第１誘導処理では、夜間にユーザが降車する場合を想定しており、停車位置周辺の犯罪情報を取得することで、安全な場所へ停車位置を移動させることを可能としている。
【００７８】
これによれば、ナビゲーション装置１００は、時間帯、気候、その他の外部要因に基づき、様々な状況に応じて、ユーザに配慮した停車位置に車両を誘導することができる。また、停車位置に関する最新の犯罪情報などが取得できず、誘導を行えない場合であっても、時間帯により効果的な警告をユーザに行うことで、停車位置の移動を促すこととしている。よって、ユーザは、暗い夜間であっても、治安面で安全な場所で降車することが可能となる。
【００７９】
[第２誘導処理]
次に、本実施例による第２誘導処理について、図５を参照して説明する。図５は、雨の日に停車位置として屋根付の場所へ車両を誘導する第２誘導処理のフローチャートである。誘導ユニット２００は、ナビゲーション装置１００の構成要素により構成されるものであって、第２誘導処理は、図１に示すシステムコントローラ２０が、予め用意されたプログラムを実行することにより実現される。なお、第２誘導処理において、誘導ユニット２００は、犯罪情報取得部２０６を構成要件に含まないこととしてもよい。即ち、誘導ユニット２００は、第２誘導処理を実行する場合に必要な構成要素を有していればよい。
【００８０】
誘導ユニット２００の目的地検出部は、まず、ユーザにより目的地が設定されているか否かを判定する（ステップＳ１１）。目的地が設定されている場合（ステップＳ１１；Ｙｅｓ）、目的地検出部は、自車位置検出部２０２により取得された車両の現在位置を示す位置情報に基づいて、目的地に十分近付いたことを検出したか否かを判定する（ステップＳ１２）。自車位置検出部２０２により、目的地に十分近付いたことが検出された場合（ステップＳ１２；Ｙｅｓ）、ステップＳ１５の処理に進む。
【００８１】
ユーザにより目的地が設定されていない場合（ステップＳ１１；Ｎｏ）、停車判定部は、車両情報取得部２０３が取得した車両情報に基づいて、車両が停車したか否かを判定する（ステップＳ１３）。停車判定部により車両が停車していると判定された場合（ステップＳ１３；Ｙｅｓ）、シートベルト判定部は、車両情報に基づいて、シートベルトが外されたか否かを判定する（ステップＳ１４）。シートベルトが外されていないと判定された場合（ステップＳ１４；Ｎｏ）、ユーザの降車はないものと判断し、誘導ユニット２００は、第２誘導処理を終了する。一方、シートベルト判定部により、シートベルトが外されたと判定された場合（ステップＳ１４；Ｙｅｓ）、ユーザが降車するものと判断し、ステップＳ１５の処理に進む。
【００８２】
ワイパー判定部２０５は、車両情報取得部２０３が取得した車両情報に基づいて、ワイパーが動いているか否かを判定する（ステップＳ１５）。ワイパーが動いていないと判定された場合（ステップＳ１５；Ｎｏ）、雨が降っていないものと判断し、誘導ユニット２００は、第２誘導処理を終了する。一方、ワイパーが動いていると判定された場合（ステップＳ１５；Ｙｅｓ）、屋根付判定部は、自車位置検出部２０２により取得された位置情報及び地図情報記憶部２０１が記憶している地図情報が有する屋根付データに基づいて、車両の現在位置、即ち目的地又は停車位置が、雨に濡れない屋根付の場所であるか否かを判定する（ステップＳ１６）。屋根付の場所であると判定された場合（ステップＳ１６；Ｙｅｓ）、誘導部２０９は、新たな場所への誘導は行わず、その場所での降車を誘導する（ステップＳ１８）。新たな場所へ誘導しなくても、ユーザの降車位置が雨に濡れない場所であるからである。これにより、第２誘導処理は完了する。
【００８３】
一方、屋根付の場所ではないと判定された場合（ステップＳ１６；Ｎｏ）、場所判定部２０８は、位置情報及び屋根付データに基づいて、車両の現在位置付近に雨に濡れない屋根付の場所が存在するか否かを判定する（ステップＳ１７）。車両の現在位置付近に屋根付の場所が存在すると判定された場合（ステップＳ１７；Ｙｅｓ）、誘導部２０９は、例えば、雨に濡れない場所へ誘導する旨の警告を出した上で、停車位置として当該場所へ車両を誘導する（ステップＳ１８）。これにより、第２誘導処理は完了する。
【００８４】
一方、車両の現在位置付近に屋根付の場所が存在しないと判定された場合（ステップＳ１７；Ｎｏ）、音声出力部２１０は、「足もとに気をつけましょう」や「周りに雨をよけられる場所があれば移動しましょう」といった注意喚起を行うアナウンス（音声）を出力する（ステップＳ１９）。これにより、第２誘導処理は完了する。
【００８５】
このように、誘導ユニット２００は、雨が降っているという判断に「ワイパーが動いている」という情報を使用し、ユーザが降車するという判断に「シートベルトが外された」という情報を使用している。
【００８６】
これによれば、ナビゲーション装置１００は、雨が降ることにより、ユーザが停車したい場所であっても屋根のない場所で降車することで、ユーザにとって「濡れる」という不利益が生じると判断する。そのため、ナビゲーション装置１００は、ユーザに配慮して、停車位置として雨に濡れない場所へ車両を誘導する。また、雨に濡れない場所が付近に存在しない場合であっても、効果的な警告をユーザに行うことで、停車位置の移動を促すこととしている。つまり、ナビゲーション装置１００は、ユーザが停車しようとしている場所に関する情報に基づいて、ユーザに不利益となる場合は、停車位置の変更を促すことが可能である。よって、ユーザは、雨の日であっても、屋根付きの濡れない場所で降車することが可能となる。
【００８７】
なお、本実施例では、誘導ユニット２００が有する音声出力部２１０により、音声で注意喚起を行うアナウンスをすることとしているが、本発明はこれに限定されるものではなく、警告画像をディスプレイ４４に表示することで注意喚起を行うこととしてもよい。即ち、画像で注意喚起を行うアナウンスをすることとしてもよい。
【００８８】
また、本実施例において誘導ユニット２００は、図１に示すナビゲーション装置１００の構成要件により構成されることとしているが、本発明はこれに限定されるものではなく、ナビゲーション装置に類する装置全般に適用することができる。本実施例では、移動体を車両とし、ナビゲーション装置１００はカーナビゲーション装置を想定しているが、例えば、移動体を人とし、ナビゲーション装置は携帯電話をはじめとする携帯用ナビゲーション装置を想定することとしてもよい。この場合、携帯用ナビゲーション装置は、雨が降っているという情報を取得した場合、遠回りでも地下道などの屋根付きの場所を通るルートにより誘導することが可能となる。
【図面の簡単な説明】
【００８９】
【図１】実施例によるナビゲーション装置の概略構成を示すブロック図である。
【図２】誘導ユニットの機能構成を示すブロック図である。
【図３】犯罪情報の取得方法を説明する図である。
【図４】第１誘導処理のフローチャートである。
【図５】第２誘導処理のフローチャートである。
【符号の説明】
【００９０】
１０  自立測位装置
１８  ＧＰＳ受信機
２０  システムコントローラ
２２  ＣＰＵ
３６  データ記憶ユニット
４０  表示ユニット
６０  入力装置
７０  ＴＶチューナー
７２  車両情報受信装置
１００  ナビゲーション装置
２００  誘導ユニット
【図１】
2009276121.tif 000003
【図２】
2009276121.tif 000004
【図３】
2009276121.tif 000005
【図４】
2009276121.tif 000006
【図５】
2009276121.tif 000007